(57)【要約】  【目的】選局時の際に同調直後から適正に話速変換処理が実行されて聴き取り易い話速変換処理装置を提供する。  【構成】ラジオ受信機１０は、ＲＦブロック回路２、可変コンデンサＶＣによるアナログ式同調回路３及び検波回路４を備えるチューナ部１を有し、前記チューナ部１の出力の音声信号Ｓを当該音声の文節を単位として適応的に再生遅延量を変化させるＤＳＰ等による話速変換手段６とメモリ８により遅延させた話速変換処理後音声Ｓ′を出力する話速変換処理装置５を備えており、前記話速変換処理装置５は、前記チューナ部１が離調状態から同調した時点で前記検波回路４から出力される同調情報信号Ｘを前記話速変換処理装置５内の制御マイクロコンピュータ７が受信し、前記話速変換手段６の話速変換処理動作をリセットして再度処理を開始するようにソフト制御する話速変換処理リセット手段を備える構成。【選択図】  図１
2005102042.tif 000002
【特許請求の範囲】
【請求項１】
アナログ式同調を行うチューナ部から出力される音声信号を、当該音声の文節を単位として適応的に再生遅延量を変化させる話速変換手段により遅延させ、その遅延させた話速変換処理後音声信号を出力する話速変換処理装置において、
前記チューナ部が離調状態から同調した時点で前記チューナ部から出力される同調情報信号が供給された場合に、前記話速変換手段に対し、話速変換処理動作を一旦リセットさせてから再度話速変換処理を開始させる話速変換処理リセット手段を備えることを特徴とする話速変換処理装置。
【発明の詳細な説明】
【技術分野】
【０００１】
本発明は、受信されたラジオ放送等を音声信号源として、その話速を適応的に遅延させて出力する話速変換処理装置に関し、特に、その話速変換処理の適正化の技術に関する。
【背景技術】
【０００２】
従来より、ビデオ再生装置、オーディオ再生装置、テレビ受信機、ラジオ受信機、或いは補聴器等において、その音声信号源の再生音声の話速を文節単位に適応的に遅らせて出力するようにした所謂「話速変換処理手段」乃至「話速変換処理装置」が公知技術としてある。これはお年寄りや難聴者或いは語学学習者等の利用者が前記機器で再生された実音声の早口な会話を全体の再生を遅らせることなく実音声部分の話速を適宜遅らせることで聴き取り易くするという効果を実現するユーザーフレンドリーな技術であり、今後、前記各機器等への広範な導入が期待されている。
【０００３】
上記話速変換処理に関する公知文献は多数あり、例えば、下記［特許文献１］〜［特許文献１０］がある。
【０００４】
特に、本発明と同様にラジオ受信機用の話速変換処理装置に関係するものとして、下記［特許文献７］には、話速変換処理により遅延されたラジオ放送を聴きながら選局しようとすると、同調中に話速変換により再生音が遅れてしまうために、同調ポイントがずれてしまって同調させずらいという問題点を指摘し、話速変換処理を実行中でも容易に正しくラジオ受信機の同調操作が行えるようにするために、使用者の同調操作を機械的に検知し、話速変換回路を迂回する回路を設けて、信号処理後の遅延された音声が聞こえないようにするという技術が記載されている。
【０００５】
【特許文献１】特開平５−８０７９６号公報
【０００６】
【特許文献２】特開平５−２１０３９５号公報
【特許文献３】特開平５−２５７４９０号公報
【特許文献４】特開平６−１６１４９４号公報
【特許文献５】特開平７−２８１６９０号公報
【特許文献６】特開平７−２８１６９１号公報
【特許文献７】特開平９−１３０２７８号公報
【特許文献８】特開平１０−２５７５９６号公報
【特許文献９】特開平１０−３０１５９８号公報
【特許文献１０】特開平１１−８６４４８号公報
【発明の開示】
【発明が解決しようとする課題】
【０００７】
前記話速変換処理装置を備えたラジオ受信機等の機器において、前記［特許文献７］に記載された話速変換中に同調させずらいという問題点とは別に、前記話速変換処理装置を備えた従来のアナログ式同調のラジオ受信機等で選局を行う時には、図３に示される従来技術のラジオ受信機に備えた話速変換処理装置における選局時（離調時から同調時Ｔ１の直後にかけて）の通常話速の実放送音声信号Ａと話速変換処理後の音声信号Ｂの比較波形図から判るように、離調状態Ｎの際に発生するノイズ信号ｎまでが同調時の最初の文節の音声信号と見做されて話速変換処理されているので、同調直後の最初の文節に関しては適正に話速変換処理が実行されない場合があった。
【０００８】
即ち、アナログ式同調回路の場合、選局はバリコンを回転させて同調させるのが一般であるが、選局時には放送局と放送局との間の周波数では局間ノイズが出力される。一方、文節単位で適応的に話速を変化させる話速変換処理では、音声信号Ｓレベルが低いところを音声信号が無いと見做してその時間を利用して遅延量を適宜調整し、実放送に文末では追いつくように時間の整合を取っている。
【０００９】
このことより、上記のような選局時に離調時の局間ノイズ信号ｎが出力されている離調状態Ｎから放送信号に移行した場合の同調時Ｔ１に、局間ノイズがあるために音声データが連続していると判定される。而して、連続したノイズ信号ｎと同調後の音声信号が続いた後は話速を遅くすることが出来なくなってしまい、望ましい話速変換処理が実現しない。このため放送局を受信した同調直後は適切な話速感が得られない場合があるのである。
【００１０】
本発明は上記事情に鑑みてなされたものであり、アナログ式同調を行うチューナ部を備えるラジオ受信機等における話速変換処理装置による話速変換処理を、選局の際の同調時点で直ちに一旦リセットし、再度話速変換処理を開始することで、離調時のノイズで話速変換処理手段が誤動作することを防ぐようにした話速変換処理装置を提供することを目的とする。
【課題を解決するための手段】
【００１１】
本発明は、アナログ式同調を行うチューナ部１から出力される音声信号Ｓを、当該音声の文節を単位として適応的に再生遅延量を変化させる話速変換手段６により遅延させ、その遅延させた話速変換処理後音声信号Ｓ′を出力する話速変換処理装置５において、前記チューナ部１が離調状態Ｎから同調した時点Ｔ１で前記チューナ部１から出力される同調情報信号Ｘが供給された場合に、前記話速変換手段６に対し、話速変換処理動作を一旦リセットさせてから再度話速変換処理を開始させる話速変換処理リセット手段を備えることを特徴とする話速変換処理装置５を提供することにより、上記課題を達成する。
【発明の効果】
【００１２】
本発明に係る話速変換処理装置は、上記のように構成されているため、ラジオ受信機等における選局時に離調状態から同調した直後から適正に話速変換処理が実行されるので利用者は内容が聴き取り易くなるという効果を有する。
【発明を実施するための最良の形態】
【００１３】
本発明に係る話速変換処理装置の実施の形態を、好適な例としてＦＭラジオ受信機に備わる話速変換処理装置の場合について図面に基づき説明する。
【００１４】
図１は、ＦＭラジオ受信機に備わる本発明に係る話速変換処理装置のブロック回路図であり、図２は選局時の離調時から同調時Ｔ１の直後にかけての実放送音声信号Ａと話速変換処理後の音声信号Ｂの比較波形図である。
【００１５】
図１において、ラジオ受信機１０は、ＲＦブロック回路２と可変コンデンサＶＣによるアナログ式同調回路３及び検波回路４を備えるチューナ部１を有する構成であり、ラジオ受信機１０における前記チューナ部１の出力の音声信号Ｓ（実放送の通常話速の音声信号）を当該音声の文節を単位として適応的に再生遅延量を変化させるＤＳＰ（Digital Signal Proccessing）或いは話速変換処理専用ＩＣによる話速変換手段６とメモリ８により遅延させた話速変換処理後音声Ｓ′を出力する話速変換処理装置５を備えている。
【００１６】
前記話速変換処理装置５は、前記ラジオ受信機１０の前記チューナ部１が図２に示されるように離調状態Ｎから同調した時点Ｔ１で前記検波回路４から出力される同調情報信号Ｘを前記話速変換処理装置５内の制御マイクロコンピュータ７が受信し、前記話速変換手段６の話速変換処理動作をリセットして再度処理を開始する話速変換処理リセット手段を備えている。
【００１７】
この点、選局時の同調直後から音声放送がスタートするとともに話速変換処理が適切に処理されるためには、局間の離調状態Ｎ時に無音であるか、同調直後に話速信号処理をリセットして再スタートさせる必要がある。本発明は、同調したことを検出するためにチューナ部１から出力される同調情報信号Ｘ（例えば、一般的なＦＭチューナＩＣにおいて、同調時に同調ランプを点灯させるため、入力された検波（ＩＦ）信号をＩＦバッファに通してレベルスイッチにて所定の基準電圧と比較し、Ｈｉｇｈ／Ｌｏｗ信号で出力される同調信号。）を利用して、話速変換処理装置５の制御マイクロコンピュータ７で前記同調情報信号Ｘを監視し、同調したと判定すると話達変換処理を直ちに一旦リセットして再び話速変換処理動作を開始するようにソフト制御するのである。
【００１８】
念のために付言すれば、本発明に係る話速変換処理装置５の話速変換手段６は、チューナ部１の出力の音声信号Ｓを当該音声の文節を単位として適応的に再生遅延量を変化させるものであれば良く、その詳細な変換処理の内容は特に問題としない。
【図面の簡単な説明】
【００１９】
【図１】ＦＭラジオ受信機に備わる本発明に係る話速変換処理装置のブロック回路図である。
【図２】本発明に係る話速変換処理装置における選局時の離調時から同調直後にかけての実放送音声信号Ａと話速変換処理後音声信号Ｂの比較波形図である。
【図３】従来技術のＦＭラジオ受信機に備わる話速変換処理装置における選局時の離調時から同調時Ｔ１の直後にかけての通常話速の実放送音声信号Ａと話速変換処理後の音声信号Ｂ′の比較波形図である。
【符号の説明】
【００２０】
１    チューナ部
２    ＲＦブロック
３    同調回路
４    検波回路
５    話速変換処理装置
６    話速変換処理手段
７    制御マイクロコンピュータ
８    メモリ
１０    ラジオ受信機
Ａ    実放送音声信号波形
Ｂ    話速変換処理後音声信号波形
Ｔ１    同調時
Ｎ    離調状態
ｎ    ノイズ信号
Ｓ    チューナ部の出力の音声信号
Ｓ′  話速変換処理後音声信号
Ｘ    同調情報信号
ＶＣ    バリコン
【図１】
2005102042.tif 000003
【図２】
2005102042.tif 000004
【図３】
2005102042.tif 000005